【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
携帯型電子機器であって、
文字列を含む画面を表示する表示手段と、
ユーザによって指示された前記画面内の位置を検出する指示位置検出手段と、
前記携帯型電子機器の傾きを検出する傾き検出手段と、
前記文字列の少なくとも一部を選択範囲として設定する選択範囲設定手段と、
を含み、
前記選択範囲設定手段は、
前記指示位置検出手段によって検出された前記ユーザの指示位置に基づいて、前記選択範囲の開始位置を設定する開始位置設定手段と、
前記選択範囲の前記開始位置が設定された後において、前記傾き検出手段による検出結果に基づいて、前記選択範囲の終了位置を移動させる終了位置移動手段と、を含み、
前記終了位置移動手段は、
前記傾き検出手段によって検出される前記携帯型電子機器の傾きの状態が第１の状態から第２の状態まで変化し、該第２の状態から、前記第１の状態との差が所定範囲内である状態に戻った場合に、前記携帯型電子機器の傾きの状態が前記第１の状態から前記第２の状態へと変化し始めてから、前記第１の状態との差が前記所定範囲内である前記状態に戻るまでにかかった時間が基準時間以内であるか否かを判定する手段と、
前記時間が前記基準時間以内であると判定された場合、前記第２の状態における前記携帯型電子機器の、前記第１の状態における前記携帯型電子機器に対する傾き方向に対応する方向に、前記終了位置を１文字だけ移動させる手段と、を含む、
ことを特徴とする携帯型電子機器。
【請求項２】
携帯型電子機器であって、
文字列を含む画面を表示する表示手段と、
ユーザによって指示された前記画面内の位置を検出する指示位置検出手段と、
前記携帯型電子機器の傾きを検出する傾き検出手段と、
前記文字列の少なくとも一部を選択範囲として設定する選択範囲設定手段と、
を含み、
前記選択範囲設定手段は、
前記指示位置検出手段によって検出された前記ユーザの指示位置に基づいて、前記選択範囲の開始位置を設定する開始位置設定手段と、
前記選択範囲の前記開始位置が設定された後において、前記傾き検出手段による検出結果に基づいて、前記選択範囲の終了位置を移動させる終了位置移動手段と、を含み、
前記終了位置移動手段は、
前記傾き検出手段によって検出される前記携帯型電子機器の傾きの状態が第１の状態から第２の状態まで変化し、該第２の状態から、前記第１の状態との差が所定範囲内である状態まで戻った場合に、前記携帯型電子機器の傾きの状態が前記第１の状態から前記第２の状態へと変化し始めてから、前記第１の状態との差が前記所定範囲内である前記状態に戻るまでにかかった時間が基準時間以内であるか否かを判定する手段と、
前記時間が前記基準時間以内であると判定された場合、前記第２の状態における前記携帯型電子機器の、前記第１の状態における前記携帯型電子機器に対する傾き方向に対応する方向に、前記終了位置を、前記第２の状態における前記携帯型電子機器の、前記第１の状態における前記携帯型電子機器に対する傾きの大きさに対応する文字数だけ移動させる手段と、を含む、
ことを特徴とする携帯型電子機器。
【請求項３】
請求項１又は２に記載の携帯型電子機器において、
前記終了位置移動手段は、前記傾き検出手段によって検出される前記携帯型電子機器の傾き方向に対応する方向に前記終了位置を移動させることを特徴とする携帯型電子機器。
【請求項４】
請求項１乃至３のいずれかに記載の携帯型電子機器において、
前記終了位置移動手段は、前記傾き検出手段によって検出される前記携帯型電子機器の傾きの大きさに基づいて、前記終了位置の移動速度を設定することを特徴とする携帯型電子機器。
【請求項５】
請求項４に記載の携帯型電子機器において、
前記終了位置移動手段は、前記傾き検出手段によって検出される前記携帯型電子機器の傾きの大きさに対応する文字数ごとに前記終了位置を移動させることを特徴とする携帯型電子機器。
【請求項６】
請求項４に記載の携帯型電子機器において、
前記終了位置移動手段は、前記携帯型電子機器の傾きの大きさに対応する時間間隔ごとに、前記終了位置を所定の文字数分移動させることを特徴とする携帯型電子機器。
【請求項７】
請求項１乃至６のいずれかに記載の携帯型電子機器において、
前記指示位置検出手段はタッチパネルであり、
前記開始位置設定手段は、前記ユーザによって接触された前記タッチパネル上の位置に基づいて、前記開始位置を設定し、
前記終了位置設定手段は、前記タッチパネルが前記ユーザによって接触された場合、前記タッチパネルへの前記ユーザの接触が解除されるまでの間、前記傾き検出手段による検出結果に基づいて、前記終了位置を移動させ、
前記選択範囲設定手段は、前記タッチパネルへの前記ユーザの接触が解除された場合、前記開始位置から、前記タッチパネルへの前記ユーザの接触が解除された時点における前記終了位置までの範囲を前記選択範囲として確定する、
ことを特徴とする携帯型電子機器。
【請求項８】
画面を表示する表示手段と、ユーザによって指示された前記画面内の位置を検出する指示位置検出手段と、携帯型電子機器の傾きを検出する傾き検出手段と、を含む携帯型電子機器の制御方法であって、
文字列を含む画面を前記表示手段に表示させるステップと、
前記ユーザの指示位置に関する指示位置情報を前記指示位置検出手段から取得するステップと、
前記携帯型電子機器の傾きに関する傾き情報を前記傾き検出手段から取得するステップと、
前記文字列の少なくとも一部を選択範囲として設定する選択範囲設定ステップと、
を含み、
前記選択範囲設定ステップは、
前記選択範囲の開始位置を前記指示位置情報に基づいて設定する開始位置設定ステップと、
前記選択範囲の前記開始位置が設定された後において、前記選択範囲の終了位置を前記傾き情報に基づいて移動させる終了位置移動ステップと、を含み、
前記終了位置移動ステップは、
前記傾き検出手段によって検出される前記携帯型電子機器の傾きの状態が第１の状態から第２の状態まで変化し、該第２の状態から、前記第１の状態との差が所定範囲内である状態に戻った場合に、前記携帯型電子機器の傾きの状態が前記第１の状態から前記第２の状態へと変化し始めてから、前記第１の状態との差が前記所定範囲内である前記状態に戻るまでにかかった時間が基準時間以内であるか否かを判定するステップと、
前記時間が前記基準時間以内であると判定された場合、前記第２の状態における前記携帯型電子機器の、前記第１の状態における前記携帯型電子機器に対する傾き方向に対応する方向に、前記終了位置を１文字だけ移動させるステップと、を含む、
ことを特徴とする携帯型電子機器の制御方法。
【請求項９】
画面を表示する表示手段と、ユーザによって指示された前記画面内の位置を検出する指示位置検出手段と、携帯型電子機器の傾きを検出する傾き検出手段と、を含む携帯型電子機器を、
文字列を含む画面を前記表示手段に表示させる表示制御手段、
前記ユーザの指示位置に関する指示位置情報を前記指示位置検出手段から取得する手段、
前記携帯型電子機器の傾きに関する傾き情報を前記傾き検出手段から取得する手段、及び、
前記文字列の少なくとも一部を選択範囲として設定する選択範囲設定手段、
として機能させるプログラムであって、
前記選択範囲設定手段は、
前記選択範囲の開始位置を前記指示位置情報に基づいて設定する開始位置設定手段と、
前記選択範囲の前記開始位置が設定された後において、前記選択範囲の終了位置を前記傾き情報に基づいて移動させる終了位置移動手段と、を含み、
前記終了位置移動手段は、
前記傾き検出手段によって検出される前記携帯型電子機器の傾きの状態が第１の状態から第２の状態まで変化し、該第２の状態から、前記第１の状態との差が所定範囲内である状態に戻った場合に、前記携帯型電子機器の傾きの状態が前記第１の状態から前記第２の状態へと変化し始めてから、前記第１の状態との差が前記所定範囲内である前記状態に戻るまでにかかった時間が基準時間以内であるか否かを判定する手段と、
前記時間が前記基準時間以内であると判定された場合、前記第２の状態における前記携帯型電子機器の、前記第１の状態における前記携帯型電子機器に対する傾き方向に対応する方向に、前記終了位置を１文字だけ移動させる手段と、を含む、
ことを特徴とするプログラム。
【請求項１０】
画面を表示する表示手段と、ユーザによって指示された前記画面内の位置を検出する指示位置検出手段と、携帯型電子機器の傾きを検出する傾き検出手段と、を含む携帯型電子機器の制御方法であって、
文字列を含む画面を前記表示手段に表示させるステップと、
前記ユーザの指示位置に関する指示位置情報を前記指示位置検出手段から取得するステップと、
前記携帯型電子機器の傾きに関する傾き情報を前記傾き検出手段から取得するステップと、
前記文字列の少なくとも一部を選択範囲として設定する選択範囲設定ステップと、
を含み、
前記選択範囲設定ステップは、
前記選択範囲の開始位置を前記指示位置情報に基づいて設定する開始位置設定ステップと、
前記選択範囲の前記開始位置が設定された後において、前記選択範囲の終了位置を前記傾き情報に基づいて移動させる終了位置移動ステップと、を含み、
前記終了位置移動ステップは、
前記傾き検出手段によって検出される前記携帯型電子機器の傾きの状態が第１の状態から第２の状態まで変化し、該第２の状態から、前記第１の状態との差が所定範囲内である状態まで戻った場合に、前記携帯型電子機器の傾きの状態が前記第１の状態から前記第２の状態へと変化し始めてから、前記第１の状態との差が前記所定範囲内である前記状態に戻るまでにかかった時間が基準時間以内であるか否かを判定するステップと、
前記時間が前記基準時間以内であると判定された場合、前記第２の状態における前記携帯型電子機器の、前記第１の状態における前記携帯型電子機器に対する傾き方向に対応する方向に、前記終了位置を、前記第２の状態における前記携帯型電子機器の、前記第１の状態における前記携帯型電子機器に対する傾きの大きさに対応する文字数だけ移動させるステップと、を含む、
ことを特徴とする携帯型電子機器の制御方法。
【請求項１１】
画面を表示する表示手段と、ユーザによって指示された前記画面内の位置を検出する指示位置検出手段と、携帯型電子機器の傾きを検出する傾き検出手段と、を含む携帯型電子機器を、
文字列を含む画面を前記表示手段に表示させる表示制御手段、
前記ユーザの指示位置に関する指示位置情報を前記指示位置検出手段から取得する手段、
前記携帯型電子機器の傾きに関する傾き情報を前記傾き検出手段から取得する手段、及び、
前記文字列の少なくとも一部を選択範囲として設定する選択範囲設定手段、
として機能させるプログラムであって、
前記選択範囲設定手段は、
前記選択範囲の開始位置を前記指示位置情報に基づいて設定する開始位置設定手段と、
前記選択範囲の前記開始位置が設定された後において、前記選択範囲の終了位置を前記傾き情報に基づいて移動させる終了位置移動手段と、を含み、
前記終了位置移動手段は、
前記傾き検出手段によって検出される前記携帯型電子機器の傾きの状態が第１の状態から第２の状態まで変化し、該第２の状態から、前記第１の状態との差が所定範囲内である状態まで戻った場合に、前記携帯型電子機器の傾きの状態が前記第１の状態から前記第２の状態へと変化し始めてから、前記第１の状態との差が前記所定範囲内である前記状態に戻るまでにかかった時間が基準時間以内であるか否かを判定する手段と、
前記時間が前記基準時間以内であると判定された場合、前記第２の状態における前記携帯型電子機器の、前記第１の状態における前記携帯型電子機器に対する傾き方向に対応する方向に、前記終了位置を、前記第２の状態における前記携帯型電子機器の、前記第１の状態における前記携帯型電子機器に対する傾きの大きさに対応する文字数だけ移動させる手段と、を含む、
ことを特徴とするプログラム。